(57)【要約】      （修正有）【課題】修理可能な環境保全多機能モジュール式ＬＥＤ灯具を提供する。【解決手段】灯座１０と灯笠２０、複数のＬＥＤ発光モジュール３０、電源制御回路板４０及び検出センサ５０からなるＬＥＤ発光モジュール式ＬＥＤ灯具であって、上記灯笠２０は、上記灯座に嵌設され、上記ＬＥＤ発光モジュール３０は、脱着自在に灯座内１０に実装され、また、電源制御回路板に接続される。また、上記検出センサ５０も、脱着自在に灯座に実装されてなるものである。かかるＬＥＤ灯具は、非常照明、人身災害又は各種類の災害の検出又は警報可能な機能を有する。また、ＬＥＤ発光モジュールや検出センサ等のパーツは、ともに、簡単に交換できる。【選択図】図２
0003154761.tif 000002
【実用新案登録請求の範囲】
【請求項１】
主として、
アルミニウム金属材質からなり、底板があり、底板の周縁から上へ周壁が延び、底板の中心に、固定枠が設けられる灯座と、
上記灯座に嵌設され、中心に、開口が形成される灯笠と、
脱着自在に灯座の底板に設置され、各ＬＥＤ発光モジュールに、基板と、基板に設置された複数のＬＥＤとが、備えられ、基板の一側に、差込口金が設けられ、上記基板の底部に、更に、直接に灯座の底板に貼り付くように、放熱弾性ゴムが設けられる複数のＬＥＤ発光モジュールと、
脱着自在に灯座の底板に設置され、上記ＬＥＤ発光モジュールに対応するように、ＬＥＤ発光モジュールの基板にある差込口金が差し込まれる複数の差込ソケットが設けられる電源制御回路板と、
脱着自在に灯座の固定枠に設置され、その上端が、灯笠の開口を通して灯笠から露出する検出センサ
が含有される
ことを特徴とする修理可能な環境保全多機能モジュール式ＬＥＤ灯具。
【請求項２】
上記灯座が、円形で、各ＬＥＤ発光モジュールの基板が、扇形で、上記ＬＥＤ発光モジュールが、リング状に灯座の底板に配列され、上記電源制御回路板が、底板の中心に設置されることを特徴とする請求項１に記載の修理可能な環境保全多機能モジュール式ＬＥＤ灯具。
【請求項３】
上記灯座の底板において、上記ＬＥＤ発光モジュールに対応する位置に、上へ突出するリング状突縁が、一体的にプレスされることを特徴とする請求項１に記載の修理可能の環境保全多機能モジュール式ＬＥＤ灯具。
【請求項４】
上記灯座の底板には、複数の下へ突出するリブが形成されることを特徴とする請求項１に記載の修理可能の環境保全多機能モジュール式ＬＥＤ灯具。
【請求項５】
上記検出センサが、停電検出センサであり、光源があり、上記電源制御回路板に、充電式電池が設置されて、上記検出センサで、停電を検出でき、停電の時、非常照明を提供できることを特徴とする請求項１に記載の修理可能の環境保全多機能モジュール式ＬＥＤ灯具。
【請求項６】
上記固定枠の上方には、リング状シートが設けられ、リング状シートの中心に、バイアホールを形成され、検出センサが、上記固定枠のバイアホールを通して固定枠のリング状シートに固定され、上記固定枠のリング状シートの両側において、それぞれ、下へ向って底板に固定されるスタンドが設けられることを特徴とする請求項１に記載の修理可能の環境保全多機能モジュール式ＬＥＤ灯具。
【請求項７】
上記灯笠が、灯笠の開口に嵌設されるロック蓋があり、ロック蓋の上端外周に、灯笠に対して位置付けするための突縁が形成され、上記ロック蓋の内壁に、螺条が形成され、検出センサの外周にも、対応するように、螺条が形成され、これにより、検出センサとロック蓋とが螺着されることを特徴とする請求項１に記載の修理可能の環境保全多機能モジュール式ＬＥＤ灯具。
【請求項８】
更に、灯座の周壁の外側に設置された飾りリングがあり、上記飾りリングの上下端から、それぞれ、灯座の周壁へ向って突縁が形成されて、上記飾りリングが、脱着自在に灯座の周壁に固定されることを特徴とする請求項１に記載の修理可能の環境保全多機能モジュール式ＬＥＤ灯具。
【請求項９】
上記ＬＥＤ発光モジュールは、上記放熱弾性ゴムのもう一側に、更に、色調整マスクが設けられることを特徴とする請求項１に記載の修理可能の環境保全多機能モジュール式ＬＥＤ灯具。
【考案の詳細な説明】
【技術分野】
【０００１】
本考案は、ＬＥＤ灯具に関するものであり、さらに詳しくは、修理可能な環境保全多機能モジュール式ＬＥＤ灯具に関するものである。
【背景技術】
【０００２】
従来のＬＥＤ（発光ダイオード）を発光源とするＬＥＤ灯具は、複数のＬＥＤを灯座本体に固定する構造のものである。かかる構造のＬＥＤ灯具は、一つのＬＥＤが壊れると、ＬＥＤ灯具の照明均一度が失われて、視覚感覚上の美感が損なわれるという問題がある。上記問題を解消するために、灯具を組ごとに交換できるが、複数のＬＥＤを有する組ごとに交換するにはユーザーの購入コストが高くなるだけでなく、廃棄物量の増大を来たすなどの問題があり、従来のＬＥＤを発光源とする灯具には、改善しなければならないところが残されている。
【考案の開示】
【考案が解決しようとする課題】
【０００３】
従って、本考案の主な課題は、簡単に交換でき廃棄物を増加させることなど環境に負荷を与えることがなく、環境保全の面からも好ましく、また、省エネルギーの利点が得られる修理可能な環境保全多機能モジュール式ＬＥＤ灯具を提供する点にある。
【課題を解決するための手段】
【０００４】
そこで、本考案者は、上記欠点を解消し、本考案の課題を解決するため、慎重に研究し、また、学理を活用して、検討を重ねた結果、後述の通り、多機能ＬＥＤ発光モジュールを一要素として用いることにより、本考案の課題を解決できることに着目し、かかる知見に基づいて、本考案の完成に到達した。
かくして、請求項１に係る考案によれば、
主として、アルミニウム金属材質からなり、底板があり、底板の周縁から上へ周壁が延び、底板の中心に、固定枠が設けられる灯座と、
上記灯座に嵌設され、中心に、開口が形成される灯笠と、
脱着自在に灯座の底板に設置され、各ＬＥＤ発光モジュールに、基板と、基板に設置された複数のＬＥＤとが、備えられ、基板の一側に、差込口金が設けられ、上記基板の底部に、更に、直接に灯座の底板に貼り付くように、放熱弾性ゴムが設けられる複数のＬＥＤ発光モジュールと、
脱着自在に灯座の底板に設置され、上記らのＬＥＤ発光モジュールに対応するように、ＬＥＤ発光モジュールの基板にある差込口金が差し込まれる複数の差込ソケットが、設けられる電源制御回路板と、
脱着自在に灯座の固定枠に設置され、その上端が、灯笠の開口を通して灯笠から露出する検出センサ
が含有される、
ことを特徴とする修理可能の環境保全多機能モジュール式ＬＥＤ灯具
が提供される。
【０００５】
請求項第２に係る考案によれば、上記灯座が、円形で、各ＬＥＤ発光モジュールの基板が、扇形で、上記らのＬＥＤ発光モジュールが、リング状に灯座の底板に配列され、上記電源制御回路板が、底板の中心に設置されることを特徴とする請求項１に記載の修理可能の環境保全多機能モジュール式ＬＥＤ灯具が提供される。
【０００６】
請求項３に係る考案によれば、上記灯座の底板において、上記らのＬＥＤ発光モジュールに対応する位置に、上へ突出するリング状突縁が、一体的にプレスされることを特徴とする請求項１に記載の修理可能の環境保全多機能モジュール式ＬＥＤ灯具が提供される。
【０００７】
請求項４に係る考案によれば、上記灯座の底板には、複数の下へ突出するリブが形成されることを特徴とする請求項１に記載の修理可能の環境保全多機能モジュール式ＬＥＤ灯具が提供される。
【０００８】
請求項５に係る考案によれば、上記検出センサは、停電検出センサであり、光源があり、上記電源制御回路板に、充電式電池が設置されて、上記検出センサで、停電を検出でき、また、停電の時、非常照明を提供できることを特徴とする請求項１に記載の修理可能の環境保全多機能モジュール式ＬＥＤ灯具が提供される。
【０００９】
請求項６に係る考案によれば、上記固定枠の上方には、リング状シートが設けられ、リング状シートの中心に、バイアホールが形成され、検出センサが、上記固定枠のバイアホールに通して固定枠のリング状シートに固定され、また、上記固定枠のリング状シートの両側において、それぞれ、下へ向って底板に固定されるスタンドが設けられることを特徴とする請求項１に記載の修理可能の環境保全多機能モジュール式ＬＥＤ灯具が提供される。
【００１０】
請求項７に係る考案によれば、上記灯笠は、灯笠の開口に嵌設されるロック蓋があり、ロック蓋の上端外周に、灯笠に対して位置付けするための突縁が形成され、上記ロック蓋の内壁に、螺条が形成され、検出センサの外周にも、対応するように、螺条が形成され、これにより、検出センサとロック蓋とが螺着されることを特徴とする請求項１に記載の修理可能の環境保全多機能モジュール式ＬＥＤ灯具が提供される。
【００１１】
請求項８に係る考案によれば、更に、灯座の周壁の外側に設置された飾りリングがあり、上記飾りリングの上下端から、それぞれ、灯座の周壁へ向って突縁が形成されて、上記飾りリングが、脱着自在に灯座の周壁に固定されることを特徴とする請求項１に記載の修理可能の環境保全多機能モジュール式ＬＥＤ灯具が提供される。
【００１２】
請求項９に係る考案によれば、上記ＬＥＤ発光モジュールは、上記放熱弾性ゴムのもう一側に、更に、色調整マスクが設けられることを特徴とする請求項１に記載の修理可能の環境保全多機能モジュール式ＬＥＤ灯具が提供される。
【００１３】
本考案による修理可能の環境保全多機能モジュール式ＬＥＤ灯具は、上記の通り、主として、金属材質からなり、底板があり、底板の周縁から上へ周壁が延び、上記灯座の中心に、固定枠が設けられる灯座と、上記灯座に嵌設され、中心に、開口が形成される灯笠と、脱着自在に灯座の底板に設置され、各発光モジュールに、基板と基板に設置された複数のＬＥＤとが、備えられ、基板の一側に、差込口金が設けられ、上記基板の底部に、更に、直接に灯座の底板に貼り付くように、放熱弾性ゴムが設けられる複数のＬＥＤ発光モジュールと、脱着自在（装卸可能的）に灯座の底板に設置され、上記ＬＥＤ発光モジュールに対応するように、基板にある差込口金がし込まれる複数の差込ソケットが、設けられる電源制御回路板と、非常照明でき、また、人体や各種類の災害を検出や警報できる機能を有し、固定枠に固定され、その上端が、灯笠の開口に通して灯笠から露出する検出センサと、が備えられるように構成されたものである。
【考案の効果】
【００１４】
本考案に係るＬＥＤ灯具は、上記の通り、複数のＬＥＤ発光モジュールと、電源制御回路板と、検出センサと、飾りリングを着脱自在のものとしたので、一つのＬＥＤが故障した場合でも、一つのＬＥＤモジュールの交換のみで対応することができる。また、灯笠、電源制御回路板、検出センサ及び飾りリング等もそれぞれ簡単に交換することができ、廃棄物量を低減させることができる。また、検出センサについてもユーザーのニーズに応じて所定機能を付与することができ、照明と合わせて使用することにより著しく顕著な使用効果を奏する。  
【考案を実施するための最良の形態】
【００１５】
以下、図面を参照しながら、本考案の特徴や技術内容について詳しく説明する。もっとも、それらの図面等は、参考や説明のためであり、本考案は、それらによって限定されるものではない。
【００１６】
図１乃至図３を参照しながら、本考案に係るＬＥＤ灯具について詳細に説明する。
本考案に係るＬＥＤ灯具は、灯座１０と、灯笠２０と、ＬＥＤ発光モジュール３０と、電源制御回路板４０と、検出センサ５０と、飾りリング６０とから構成されたものである。
【００１７】
灯座１０は、放熱し易いアルミニウム金属材質からなり、ほぼディスク状で、底板１１と底板１１の周縁から上へ伸びる周壁１２があり、また、底板１１の中心に、固定枠１３が設けられ、上記固定枠１３の上方に、リング状シート１３１が設置され、リング状シート１３１の中心に、バイアホール１３２が形成され、また、固定枠１３のリング状シート１３１の両側から、それぞれ、下へスタンド１３３が設けられて、固定枠１３が、そのスタンド１３３により、底板１１に固定され、また、底板１１において、周縁に沿って、一体的にプレスされて、中央が上へ突出するリング状突縁１１１が形成され、上記底板１１にも、複数の、下へ突出し、一体的にプレスされるリブ１１２が形成されてある。
【００１８】
灯笠２０は、透過材質からなり、上記灯座１０に対応して、ほぼ円弧面のディスク状であり、上記灯座１０に設置され、また、中心に、開口２１が形成されて、ロック蓋２２があり、上記ロック蓋２２が、灯笠２０の開口２１に通せる約筒状で、ロック蓋２２の上段の外周に、突縁２２１が設けられ、灯笠２０に対して位置付けでき、また、上記ロック蓋２２の内壁に螺条２２２が形成されてある。
【００１９】
ＬＥＤ発光モジュール３０は、複数設けられてあり、灯座１０の底板１１のリング状突縁１１１に設置され、それぞれに、基板３１と外蓋３２及び放熱弾性ゴム３３が備えられる。上記基板３１が、上記底板１１のリング状突縁１１１に対応して、扇形になり、基板３１が、リング状突縁１１１の上に設置され、他のＬＥＤ発光モジュール３０と、リング状に囲み、また、それぞれの基板３１に、複数のＬＥＤ３１１が配列され、基板３１の一側に、ともに、差込口金３１２が設けられてある。    
【００２０】
また、上記ＬＥＤ発光モジュール３０の基板３１の上方に、上記外蓋３２が嵌設され、上記外蓋３２が、基板３１に対応して扇形になり、その両側に、それぞれ、ラグ３２１が形成され、これにより、その外蓋３２で、底板１１に固定され、また、簡単に交換できるようにしてある。上記外蓋３２が、所定の色を有する透過材質からなり、それにより、光混合の作用が実現される。
【００２１】
また、基板３１の底部に、上記放熱弾性ゴム３３が設置され、ＬＥＤ３１１による熱エネルギーが、放熱弾性ゴム３３を介して直接に、アルミニウム金属からなる底板１１に伝達されて、放熱の効果が得られる。      
そして、上記基板３１と上記外蓋３２との間に、更に、色調整マスク３４が介在し、上記色調整マスク３４により、上記ＬＥＤ３１１に合わせて光の色を調整できるようにしてある。
【００２２】
電源制御回路板４０は、灯座１０の底板１１の中心に固定されてあり、上記ＬＥＤ発光モジュール３０に対応して、ＬＥＤ発光モジュール３０にある差込口金３１２が差し込まれる複数の差込ソケット４１が設置され、また、一側に、更に、充電式電池４２が設置されてある。
【００２３】
検出センサ５０は、筒体であり、その上段が、上記固定枠１３のバイアホール１３２を通してリング状シート１３１に固定され、その上段の外周に、螺条５１が設けられ、灯笠２０の開口２１を通してロック蓋２２と螺着され、その上端が、灯笠２０から露出でき、外部の環境を検出できる。また、電源制御回路板４０と、電気的に接続され、また、非常照明や人体或いは各種類の災害の検出及び警報ができる多機能を有する。例えば、人体検出センサや音響制御検出センサ、火災検出センサ、地震検出センサ、停電検出センサ、一酸化炭素検出センサ等である。本実施例において、上記検出センサ５０が停電検出センサであり、その上端に、光源５２が設置され、上記検出センサで停電を検出できる。また、停電の場合、充電式電池４２から電源を供給し、非常照明を実現できるようにしてある。
【００２４】
飾りリング６０は、灯座１０の周壁１２の外側に囲むように設置され、上下端に、それぞれ、横方向に灯座１０の周壁１２に向って上下突縁６１、６２が形成され、上記上下突縁６１、６２により、灯座１０に固定され、また、簡単に交換できるようにしてある。
【００２５】
図２で示すように、本考案のより良い実施例であるＬＥＤ灯具は、天井式の円盤灯であり、上記灯座１０の底板１１を、一般の部屋の天井に組立てた場合、上記灯座１０が、底板１１のリブ１１２により、天井との間に、隙間が形成されて、放熱の効果が得られる。
【００２６】
ＬＥＤ３１１が故障した場合、ＬＥＤ発光モジュール３０の外蓋３２に固定するネジを弛め、故障した発光モジュール３０の差込口金３１２を、電源制御回路板４０の差込ソケット４１から抜き出して、故障したＬＥＤ発光モジュール３０だけを上記灯座１０から直接に取り外して、新しいＬＥＤ発光モジュール３０を実装すればよい。また、上記灯具の他のパーツも、例えば、灯笠２０や電源制御回路板４０、検出センサ５０及び飾りリング６０等も、簡単に交換できる。
【００２７】
また、上記検出センサ５０は、ユーザーのニーズに応じて、所定機能を有する検出センサを実装しても良い。例えば、地震検出センサや火災検出センサ及び停電検出センサ等であり、一般のＬＥＤ照明に合わせて使用すると、全体としての使用価値が向上され、また、従来の壁式のスイッチを検出センサの電源としてもよい。即ち、ユーザーが、ＬＥＤ照明の電源をオフしても、上記検出センサ５０に、商用周波を利用して給電でき、停電の場合でも電源制御回路板４０の充電式電池４２から給電される。
【００２８】
以上の説明から、本考案は、より進歩的かつより実用的なものであることは明らかであり、法に従って実用新案登録による保護を求める。
【００２９】
以上は、本考案のより良い実施例であり、本考案は、それによって限定されるものではない。また、本考案に係わる実用新案登録請求の範囲及び明細書の内容に基づいて行った等価の変更や修正は、全てが、本考案の範囲内に含まれるのものであることは明らかである。
【図面の簡単な説明】
【００３０】
【図１】本考案の実施の形態によるＬＥＤ灯具を示す斜視図である。
【図２】本考案の実施の形態によるＬＥＤ灯具を示す分解斜視図である。
【図３】本考案の実施の形態によるＬＥＤ灯具を示す断面図である。
【符号の説明】
【００３１】
１０    灯座
１１    底板
１１１  リング状突縁
１１２  リブ
１２    周壁
１３    固定枠
１３１  リング状シート
１３２  バイアホール
１３３  スタンド
２０    灯笠
２１    開口
２２    ロック蓋
２２１  突縁
２２２  螺条
３０    ＬＥＤ発光モジュール
３１    基板
３２    外蓋
３３    放熱弾性ゴム
３１１  ＬＥＤ
３２１  ラグ
３４    色調整マスク
４０    電源制御回路板
４１    差込ソケット
４２    充電式電池
５０    検出センサ
５１    螺条
５２    光源
６０    飾りリング
６１    上突縁
６２    下突縁
【図１】
0003154761.tif 000003
【図２】
0003154761.tif 000004
【図３】
0003154761.tif 000005